(57)【要約】【課題】センサモジュールや機器の取付部に変更を加えることなく、センサ搭載面を所望の向きにして取付ることができるセンサモジュールの取付構造を提案すること。【解決手段】センサモジュール１は機器側取付部１０７に取付可能なモジュール側取付部１３を備え、モジュール側取付部１３を機器側取付部１０７に取り付けるとセンサモジュール１はセンサ搭載面４ａを上に向けた状態で機器に取り付けられる。また、モジュール側取付部１３に取付可能な第１カバー側取付部５５と機器側取付部１０７に取付可能な第２カバー側取付部５６とを備えているモジュールカバー５を有しており、第１カバー側取付部５５をモジュール側取付部１３に取り付けてセンサモジュール１にモジュールカバー５を取り付け、この状態で第２カバー側取付部５６を機器側取付部１０７に取り付けるとセンサモジュール１はセンサ搭載面４ａを下に向けた状態で機器に取り付けられる。【選択図】図５
2010014321.tif 000002
【特許請求の範囲】
【請求項１】
空気調和機などの機器における予め定められた部位に、温度センサおよび湿度センサのうちの少なくとも一方のセンサを搭載したセンサ基板が内蔵されているセンサモジュールを、前記センサ基板のセンサ搭載面が第１方向および第２方向のいずれか一方を向く状態で取り付け可能なセンサモジュールの取付構造であって、
前記センサモジュールを取り付けるために前記機器に形成されている機器側取付部と、
前記センサモジュールに取り付け可能なモジュールカバーとを有し、
前記センサモジュールは、前記機器側取付部に取付可能なモジュール側取付部を備えており、
前記モジュールカバーは、前記モジュール側取付部に取付可能な第１カバー側取付部と、前記機器側取付部に取付可能な第２カバー側取付部とを備えており、
前記モジュール側取付部を前記機器側取付部に取り付けると、前記センサ搭載面が前記第１方向を向いた状態で前記センサモジュールが前記機器に取り付けられ、
前記第１カバー側取付部を前記モジュール側取付部に取り付けて前記センサモジュールに前記モジュールカバーを取り付け、この状態で、前記第２カバー側取付部を前記機器側取付部に取り付けると、前記センサ搭載面が前記第２方向を向く状態で前記センサモジュールが前記機器に取り付けられることを特徴とするセンサモジュールの取付構造。
【請求項２】
請求項１に記載のセンサモジュールの取付構造において、
前記第１方向は前記センサ搭載面が水平で上向きとなる方向であり、
前記第２方向は前記センサ搭載面が水平で下向きとなる方向であることを特徴とするセンサモジュールの取付構造。
【請求項３】
請求項２に記載のセンサモジュールの取付構造において、
前記モジュールカバーは、前記センサモジュールに取り付けた状態において、前記センサモジュールの前面を所定の間隔を開けて覆っており、
前記センサモジュールの前面には、外気を前記センサ搭載面に搭載されている前記センサに導くための通気部が形成されており、
前記モジュールカバーには、前記センサモジュールに取り付けた状態において、前記通気部に対峙する部分から外れた部位に位置するように、カバー側通気部が形成されていることを特徴とするセンサモジュールの取付構造。
【請求項４】
請求項３に記載のセンサモジュールの取付構造において、
前記センサモジュールは全体として直方体形状をしており、
前記センサ搭載面が前記第２方向となる状態で前記センサモジュールが前記機器に取り付けられた状態では、前記センサモジュールの前面が垂直となり、
前記モジュールカバーは、前記センサモジュールに取り付けた状態において、前記センサモジュールの前面を前方から覆っている前板部分と、前記センサモジュールの上側の端面を上方から覆っている上板部分とを備えていることを特徴とするセンサモジュールの取付構造。
【請求項５】
請求項４に記載のセンサモジュールの取付構造において、
前記機器における所定の部位に形成した機器側垂直取付面と、この機器側垂直取付面に形成した機器側ネジ穴とによって、前記機器側取付部が形成されており、
前記センサモジュールの前記前面の側縁から当該前面と平行に横方に突出しているモジュール側取付板と、このモジュール側取付板に形成したモジュール側ネジ穴とによって、前記モジュール側取付部が形成されており、
前記モジュールカバーの前記前板部分の背面に対して一定の間隔を開けて当該前板部分と平行となるように固定した第１カバー側取付板と、この第１カバー側取付板に形成した第１カバー側ネジ穴とによって、前記第１カバー側取付部が形成されており、
前記モジュールカバーの前記前板部分の側縁から当該前板部分と平行に横方に突出している第２カバー側取付板と、この第２カバー側取付板に形成した第２カバー側ネジ穴とによって、前記第２カバー側取付部が形成されていることを特徴とするセンサモジュールの取付構造。
【請求項６】
請求項５に記載のセンサモジュールの取付構造において、
前記機器側取付部には、前記機器側垂直取付面と直交している機器側垂直位置決め面が形成されており、
前記モジュールカバーの前記前板部分は矩形のものであり、
前記前板部分の一方の側縁には、前記センサモジュールに取り付けた状態における上端から前記第２カバー側取付板が横方に突出しているとともに、下端から背面側に向けて直角に折れ曲がって突出している位置決め板が形成されており、
前記第２カバー側取付部を前記機器側取付部に取り付けると、前記機器側垂直位置決め面に前記位置決め板が当接することを特徴とするセンサモジュールの取付構造。
【請求項７】
請求項１ないし６に記載されているセンサモジュールの取付構造に用いられているモジュールカバー。
【発明の詳細な説明】
【技術分野】
【０００１】
本発明は、空気調和機などに取り付けられて温度や湿度を検出するセンサモジュールの取付構造に関する。
【背景技術】
【０００２】
空気調和機などの機器には温度や湿度を検出するセンサモジュールが取り付けられている。センサモジュールは、センサ基板と、このセンサ基板のセンサ搭載面に搭載されている温度センサや湿度センサと、これらを内蔵しているケースを備えている。ケースには、温度センサや湿度センサが外気に晒されるように通気穴が形成されている。温度センサおよび湿度センサを搭載しているセンサモジュールは、例えば、特許文献１に記載されている。特許文献１では、センサモジュールはセンサ搭載面を下に向けた状態で空気調和機の所定の部位に取り付けられている。
【特許文献１】特開２００３−１３９３７３号公報
【発明の開示】
【発明が解決しようとする課題】
【０００３】
センサモジュールは一般的にセンサ搭載面を上に向けた状態または下に向けた状態にして機器に取り付けられる。センサ搭載面を上に向けた状態でセンサモジュールを機器に取り付けると、センサ基板やセンサの状態を検査し易いという利点がある。しかし、センサ搭載面を上に向けた状態にしておくと通気穴からケース内に侵入した塵や水滴がセンサ搭載面から落下することなく付着したままの状態になってしまうので、センサ基板の腐食やセンサの誤動作を招くことがある。このため、機器を塵や水滴が侵入し易い環境で使用する場合などには、センサ搭載面を下に向けた状態でセンサモジュールを取り付けることが望まれる。
【０００４】
ここで、センサモジュールを機器に取り付ける際にセンサ搭載面の向きを所望の向きにするためには、機器の所定の部位に構成されている取付部に変更を加えるか、センサモジュールを機器に取り付けるためにセンサモジュールに形成されている取付部に変更を加えるか、のいずれかの対策が必要になるという問題がある。  
【０００５】
本発明の課題は、このような点に鑑みて、センサモジュールや機器の取付部に変更を加えることなく、センサ搭載面の向きを所望の向きにして機器に取り付けることができるセンサモジュールの取付構造を提案することにある。
【課題を解決するための手段】
【０００６】
上記の課題を解決するために、本発明は、空気調和機などの機器における予め定められた部位に、温度センサおよび湿度センサのうちの少なくとも一方のセンサを搭載したセンサ基板が内蔵されているセンサモジュールを、前記センサ基板のセンサ搭載面が第１方向および第２方向のいずれか一方を向く状態で取り付け可能なセンサモジュールの取付構造であって、
前記センサモジュールを取り付けるために前記機器に形成されている機器側取付部と、
前記センサモジュールに取り付け可能なモジュールカバーとを有し、
前記センサモジュールは、前記機器側取付部に取付可能なモジュール側取付部を備えており、
前記モジュールカバーは、前記モジュール側取付部に取付可能な第１カバー側取付部と、前記機器側取付部に取付可能な第２カバー側取付部とを備えており、
前記モジュール側取付部を前記機器側取付部に取り付けると、前記センサ搭載面が前記第１方向を向いた状態で前記センサモジュールが前記機器に取り付けられ、
前記第１カバー側取付部を前記モジュール側取付部に取り付けて前記センサモジュールに前記モジュールカバーを取り付け、この状態で、前記第２カバー側取付部を前記機器側取付部に取り付けると、前記センサ搭載面が前記第２方向を向く状態で前記センサモジュールが前記機器に取り付けられることを特徴とする。
【０００７】
本発明によれば、センサモジュールは機器に形成されている機器側取付部に取付可能なモジュール側取付部を備えており、このモジュール側取付部を機器側取付部に取り付けるとセンサモジュールはセンサ搭載面を第１方向に向けた状態で機器に取り付けられる。また、モジュール側取付部に取付可能な第１カバー側取付部と機器側取付部に取付可能な第２カバー側取付部とを備えているモジュールカバーを有しており、第１カバー側取付部をモジュール側取付部に取り付けることによってセンサモジュールにモジュールカバーを取り付け、この状態で第２カバー側取付部を機器側取付部に取り付けるとセンサモジュールはセンサ搭載面を第２方向に向けた状態で機器に取り付けられる。すなわち、センサモジュールだけを機器に取り付けるとセンサ搭載面は第１方向に向く状態になり、モジュールカバーを介してセンサモジュールを機器に取り付けるとセンサ搭載面は第２方向を向く状態になる。従って、センサモジュールに形成されているモジュール側取付部や機器に形成されている機器側取付部に変更を加えることなく、センサ搭載面の向きを所望の向きにして取り付けることができる。
【０００８】
本発明において、前記第１方向は前記センサ搭載面が水平で上向きとなる方向であり、  前記第２方向は前記センサ搭載面が水平で下向きとなる方向であることが望ましい。このようにすれば、センサモジュールだけを機器に取り付けるとセンサ搭載面が水平で上向きになるので、センサモジュールに内蔵されているセンサ基板やセンサの状態を検査することが容易になる。モジュールカバーを介してセンサモジュールを機器に取り付けるとセンサ搭載面が水平で下向きになるので、塵や水滴がセンサ搭載面上に付着してもそれらは落下する。塵や水滴がセンサ搭載面に付着したままの状態になってしまうことがないので、センサ基板の腐食やセンサの誤動作を抑制或いは防止できる。
【０００９】
本発明において、前記モジュールカバーは、前記センサモジュールに取り付けた状態において、前記センサモジュールの前面を所定の間隔を開けて覆っており、前記センサモジュールの前面には、外気を前記センサ搭載面に搭載されている前記センサに導くための通気部が形成されており、前記モジュールカバーには、前記センサモジュールに取り付けた状態において、前記通気部に対峙する部分から外れた部位に位置するように、カバー側通気部が形成されていることが望ましい。このようにすれば、前方から流れてくる外気はカバー側通気部を通過した後にその流路を屈曲させられ、しかる後に通気部を介してセンサに導かれる。従って、外気によって運ばれてきた塵や水滴が直接通気部を通過してセンサ搭載面に付着してしまうことを低減或いは回避できる。
【００１０】
本発明において、外気によって運ばれてきた水滴や落下してきた水滴がセンサモジュールの表面を伝って通気部からセンサ搭載面に付着することを低減または回避するためには、前記センサモジュールは全体として直方体形状をしており、前記センサ搭載面が前記第２方向となる状態で前記センサモジュールが前記機器に取り付けられた状態では、前記センサモジュールの前面が垂直となり、前記モジュールカバーは、前記センサモジュールに取り付けた状態において、前記センサモジュールの前面を前方から覆っている前板部分と、前記センサモジュールの上側の端面を上方から覆っている上板部分とを備えていることが望ましい。
【００１１】
本発明において、モジュール側取付部および第２カバー側取付部をそれぞれ機器側取付部に取付可能にするとともに、第１カバー側取付部をモジュール側取付部に取付可能にするためには、前記機器における所定の部位に形成した機器側垂直取付面と、この機器側垂直取付面に形成した機器側ネジ穴とによって、前記機器側取付部が形成されており、前記センサモジュールの前記前面の側縁から当該前面と平行に横方に突出しているモジュール側取付板と、このモジュール側取付板に形成したモジュール側ネジ穴とによって、前記モジュール側取付部が形成されており、前記モジュールカバーの前記前板部分の背面に対して一定の間隔を開けて当該前板部分と平行となるように固定した第１カバー側取付板と、この第１カバー側取付板に形成した第１カバー側ネジ穴とによって、前記第１カバー側取付部が形成されており、前記モジュールカバーの前記前板部分の側縁から当該前板部分と平行に横方に突出している第２カバー側取付板と、この第２カバー側取付板に形成した第２カバー側ネジ穴とによって、前記第２カバー側取付部が形成されていることが望ましい。
【００１２】
本発明において、第２カバー側取付部を機器側取付部に取付けたときにモジュールカバーを位置決めすることによって、センサモジュールを所定の姿勢で機器に取付けるためには、前記機器側取付部には、前記機器側垂直取付面と直交している機器側垂直位置決め面が形成されており、前記モジュールカバーの前記前板部分は矩形のものであり、前記前板部分の一方の側縁には、前記センサモジュールに取り付けた状態における上端から前記第２カバー側取付板が横方に突出しているとともに、下端から背面側に向けて直角に折れ曲がって突出している位置決め板が形成されており、前記第２カバー側取付部を前記機器側取付部に取り付けると、前記機器側垂直位置決め面に前記位置決め板が当接することが望ましい。
【００１３】
次に、本発明は、上記のセンサモジュールの取付構造に用いられているモジュールカバーとすることができる。
【発明の効果】
【００１４】
本発明によれば、センサモジュールは機器に形成されている機器側取付部に取付可能なモジュール側取付部を備えており、このモジュール側取付部を機器側取付部に取り付けるとセンサモジュールはセンサ搭載面を第１方向に向けた状態で機器に取り付けられる。また、モジュール側取付部に取付可能な第１カバー側取付部と機器側取付部に取付可能な第２カバー側取付部とを備えているモジュールカバーを有しており、第１カバー側取付部をモジュール側取付部に取り付けることによってセンサモジュールにモジュールカバーを取り付け、この状態で第２カバー側取付部を機器側取付部に取り付けるとセンサモジュールはセンサ搭載面を第２方向に向けた状態で機器に取り付けられる。すなわち、センサモジュールだけを機器に取り付けるとセンサ搭載面は第１方向に向く状態になり、モジュールカバーを介してセンサモジュールを機器に取り付けるとセンサ搭載面は第２方向を向く状態になる。従って、センサモジュールに形成されているモジュール側取付部や機器に形成されている機器側取付部に変更を加えることなく、センサ搭載面の向きを所望の向きにして取り付けることができる。
【発明を実施するための最良の形態】
【００１５】
以下に、図面を参照して、本発明のセンサモジュールの取付構造を説明する。
【００１６】
図１（ａ）はセンサモジュールの斜視図であり、図１（ｂ）はモジュールカバーの斜視図であり、図１（ｃ）はモジュールカバーをセンサモジュールに取り付けた状態を示す斜視図である。
【００１７】
本例のセンサモジュール１の取付構造は、サーミスタ（温度センサ）２および湿度センサ３を搭載したセンサ基板４が内蔵されているセンサモジュール１を除湿乾燥機における予め定められた部位に取り付ける場合に、センサ基板４のセンサ搭載面４ａが水平で上向きとなる方向（第１方向）、および、水平で下向きとなる方向（第２方向）のいずれか一方を向く状態で取り付けることを可能にするものである。センサ搭載面４ａを上に向けた状態で取り付けるときには、図１（ａ）に示すセンサモジュール１を機器に取り付ける。センサ搭載面４ａを下に向けた状態で取り付けるときには、図１（ｂ）に示すモジュールカバー５をセンサモジュール１に取り付けて図１（ｃ）に示す状態にし、しかる後にモジュールカバー５を介してセンサモジュール１を機器に取り付ける。
【００１８】
図２（ａ）はセンサモジュール１の正面図であり、図２（ｂ）はその平面図であり、図２（ｃ）はその底面図であり、図２（ｄ）はその右側面図であり、図２（ｅ）は正面図のＡ−Ａにおける縦断面図である。図１（ａ）および図２を参照してセンサモジュール１を説明する。
【００１９】
センサモジュール１は前後方向に扁平な直方体形状のケース１１を備えている。ケース前板部分１２の右側縁には、除湿乾燥機の予め定められた部位に形成されている機器側取付部に取付可能なモジュール側取付部１３が形成されている。図１（ａ）および図２に示されているセンサモジュール１の姿勢は、モジュール側取付部１３によってセンサモジュール１を機器に取り付けた状態と同じ基本姿勢である。なお、機器側取付部の詳細は後述する。
【００２０】
基本姿勢では、センサ基板４は、ケース１１の下側の部位において、センサ搭載面４ａが水平で上を向いた状態で内蔵されている。センサ基板４はケース前板部分１２およびケース背板部分１４からそれぞれケース１１の内側に突出している断面が凹字形状の突部１２ａ、１４ａに前後方向から挟まれて固定されている。センサ搭載面４ａには配線用コネクタ１５が搭載されており、配線用コネクタ１５には除湿乾燥機の制御部から延びているリード線１６が接続されている。
【００２１】
ケース前板部分１２には、外気がサーミスタ２および湿度センサ３に導かれるように第１通気穴（通気部）１７が形成されている。ケース背板部分１４にはケース１１内に導入された外気が流出するように第２通気穴１８が形成されている。ケース前板部分１２における第１通気穴１７の形成領域である第１通気穴形成領域１７Ａは左右方向に長い矩形をしており、ケース背板部分１４における第２通気穴１８の形成領域である第２通気穴形成領域１８Ａは上下方向に長い矩形をしている。図２（ａ）に示すように、第１通気穴形成領域１７Ａと第２通気穴形成領域１８Ａとは前後方向で一部分が重なる位置にある。また、図２（ｅ）に示すように、基本姿勢では、第１通気穴形成領域１７Ａおよび第２通気穴形成領域１８Ａは、いずれもセンサ基板４よりも上に位置している。
【００２２】
モジュール側取付部１３は、ケース前板部分１２の右側縁の上下方向の中央から前方に突出している基部１３ａと、この基部１３ａから連続して右に向かってケース前板部分１２と平行に一定幅で延びているモジュール側取付板１３ｂと、モジュール側取付板１３ｂに形成されているモジュール側ネジ穴１３ｃとから形成されている。モジュール側取付板１３ｂの先端部分は半円弧形状をしており、モジュール側ネジ穴１３ｃはこの中央に形成されている。
【００２３】
図３（ａ）はモジュールカバー５をセンサモジュール１に取り付けた状態の正面図であり、図３（ｂ）はその平面図であり、図３（ｃ）はその右側面図である。図１（ｂ）、図１（ｃ）および図３を参照してモジュールカバー５を説明する。
【００２４】
モジュールカバー５は、上下方向に延びている矩形のカバー前板部分（前板部分）５１と、カバー前板部分５１の上端から後方に向けて直角に折れ曲がって延びているカバー上板部分 (上板部分) ５２と、カバー前板部分５１の左端から後方に向けて直角に折れ曲がって延びているカバー側板部分５３とを備えている。カバー上板部分５２の左端とカバー側板部分５３の上端とは連続している。カバー前板部分５１、カバー側板部分５３、およびカバー上板部分５２は、それぞれセンサモジュール１のケース前板部分１２、ケース左側板部分２０およびケース右側板部分２１、ケース上板部分１９およびケース下板部分２２よりも一回り大きな形状をしている。カバー前板部分５１には第３通気穴（カバー側通気部）５４が形成されている。カバー前板部分５１における第３通気穴５４の形成領域である第３通気穴形成領域５４ＡはＬ字形状をしている。
【００２５】
また、モジュールカバー５は、モジュールカバー５をセンサモジュール１のモジュール側取付部１３に取付可能な第１カバー側取付部５５と、モジュールカバー５を機器の機器側取付部に取付可能な第２カバー側取付部５６と、位置決め板５７とを備えている。
【００２６】
第１カバー側取付部５５は、カバー前板部分５１の背面部分５１ａに取り付けられている一定幅の板状部材から形成されている。詳細には、第１カバー側取付部５５は、上下方向に延びてカバー前板部分５１の背面部分５１ａに固定されている上取付板部分５５ａと、上取付板部分５５ａの下端から背面部分５１ａから離れる方向に折れ曲がって水平に延びている上水平板部分５５ｂと、上水平板部分５５ｂの後端から下方に向かって折れ曲がってカバー前板部分５１と一定の間隔を開けて平行に延びている取付板部分（カバー側取付板）５５ｃと、取付板部分５５ｃの下端から背面部分５１ａに近づく方向に折れ曲がって水平に延びている下水平板部分５５ｄと、下水平板部分５５ｄの前端から下方に向かって折れ曲がって延びておりカバー前板部分５１の背面部分５１ａに固定されている下取付板部分５５ｅを備えており、取付板部分５５ｃの上下方向の中央には第１カバー側ネジ穴５５ｆが形成されている。
【００２７】
第２カバー側取付部５６は、カバー前板部分５１の右側縁の上端から連続して右側に一定幅で突出している第２カバー側取付板５６ａと、その先端部分に形成されている第２カバー側ネジ穴５６ｂとから形成されている。
【００２８】
位置決め板５７は、カバー前板部分５１の右側縁の下端から一定幅で背面側に向けて直角に折り曲がって突出している平板である。先端部分にはネジ穴５７ａが形成されている。
【００２９】
ここで、モジュールカバー５をセンサモジュール１に取り付ける際には、基本姿勢のセンサモジュール１を、前後を入れ替えることなく上下に反転する。すなわち、センサ基板４のセンサ搭載面４ａを水平で下向きになる状態にする。しかる後に、モジュールカバー５の第１カバー側取付部５５の第１カバー側ネジ穴５５ｆと、モジュール側取付部１３のモジュール側ネジ穴１３ｃの位置を合わせて、螺子止めする。
【００３０】
モジュールカバー５をセンサモジュール１に取り付けた状態では、図１（ｃ）および図３に示すように、カバー前板部分５１はケース前板部分１２を所定の隙間を開けて前方から覆っている。カバー上板部分５２はケース上板部分１９を所定の隙間を開けて上方から覆っている。カバー側板部分５３はケース右側板部分２１を所定の隙間を開けて左側から覆っている。また、カバー前板部分５１における第３通気穴形成領域５４Ａとケース前板部分１２における第１通気穴形成領域１７Ａとは前後方向で重ならないようになっている。すなわち、第３通気穴形成領域５４Ａはカバー前板部分５１のうち第１通気穴形成領域１７Ａに対峙する部分から外れた部位に位置している。
【００３１】
次に、図４、５を参照して除湿乾燥機に形成されている機器側取付部を説明する。図４はセンサモジュール１が取り付けられている除湿乾燥機の斜視図である。図５（ａ）はセンサモジュール１が機器に取り付けられた状態を示す斜視図であり、図５（ｂ）はモジュールカバー５を介してセンサモジュール１が機器に取り付けられた状態を示す斜視図である。なお、図５（ａ）、（ｂ）は、いずれも除湿乾燥機の空気吸引口に取り付けられているフィルターを外した状態を示している。
【００３２】
図４に示すように、除湿乾燥機１００は直方体の筐体１０１を備えている。筐体１０１の筐体前板部分１０２の上下方向の中央には空気吸引口１０３が形成されている。空気吸引口１０３の開口部にはフィルター１０４が取り付けられている。筐体前板部分１０２の上端には空気吹出口１０５が形成されている。筐体１０１内には空気吸引口１０３から空気吹出口１０５に繋がる空気流路１０６が形成されており、空気流路１０６内には空気を空気吸引口１０３から吸い込んで空気吹出口１０５から供給するためのファン、吸引した空気を除湿するための蒸発器、吸引した空気を所定の温度状態に調整するための加熱器などが配置されている（いずれも不図示）。
【００３３】
除湿乾燥機１００が動作すると、外気は空気吸引口１０３から筐体１０１内に吸い込まれ、所定の温度および湿度に調整された後に空気吹出口１０５から吹き出される。図中の矢印は外気が流れる方向を示している。センサモジュール１は、フィルター１０４の背面側において、空気吸引口１０３の開口縁部分に取り付けられている。
【００３４】
機器側取付部１０７は、筐体１０１の四隅を規定している４本の柱のうち右前隅の柱１０８に構成されている。図５に示すように、右前隅の柱１０８の空気吸引口１０３に対応する部位には、柱１０８の背面側から断面がＬ字形状で垂直方向に延びている板状部材１０９が取り付けられている。Ｌ字形状に折り曲げられている一方の平板部分１０９ａは筐体前板部分１０２と平行に延びており、他方の平板部分１０９ｂは筐体右側板部分１１０に沿って後方に向かって延びている。一方の平板部分１０９ａは柱１０８から空気吸引口１０３の側に一定幅で突出する縁部分（機器側垂直取付面）１０９ｃと、縁部分１０９ｃの側端面（機器側垂直位置決め面）１０９ｄを備えている。縁部分１０９ｃの上下方向の中央には機器側ネジ穴１０９ｅが形成されている。機器側取付部１０７は、平板部分１０９ａの縁部分１０９ｃ、縁部分１０９ｃの側端面１０９ｄ、機器側ネジ穴１０９ｅからなる。
【００３５】
（センサモジュールの取り付け）
センサ搭載面４ａが水平で上向きになる状態でセンサモジュール１を除湿乾燥機１００に取り付ける場合には、センサモジュール１のモジュール側取付部１３のモジュール側ネジ穴１３ｃと機器側取付部１０７の機器側ネジ穴１０９ｅの位置を合わせて、螺子止めする。
【００３６】
この結果、図５（ａ）に示すように、センサモジュール１はセンサ搭載面４ａが水平で上向きになる状態で機器側取付部１０７に取り付けられる。また、ケース前板部分１２が垂直になり、ケース前板部分１２の第１通気穴１７からケース背板部分１４の第２通気穴１８に向かって外気が通過するように取り付けられる。第１通気穴形成領域１７Ａおよび第２通気穴形成領域１８Ａはセンサ基板４の上方に位置している。
【００３７】
センサ搭載面４ａが水平で下向きになる状態でセンサモジュール１を機器に取り付ける場合には、モジュールカバー５を介してセンサモジュール１を機器に取り付ける。すなわち、第１カバー側取付部５５をモジュール側取付部１３に取り付けることによってセンサモジュール１にモジュールカバー５を取り付け、この状態で、第２カバー側取付部５６の第２カバー側ネジ穴５６ｂと機器側取付部１０７の機器側ネジ穴１０９ｅの位置を合わせて、螺子止めする。すると、縁部分１０９ｃの側端面１０９ｄにモジュールカバー５の位置決め板５７が当接するので、モジュールカバー５は所定の姿勢で位置決めされる。従って、モジュールカバー５に取付けられているセンサモジュール１は所定の姿勢で固定される。
【００３８】
この結果、図５（ｂ）に示すように、センサモジュール１はセンサ搭載面４ａが水平で下向きになる状態で機器側取付部１０７に取り付けられる。また、ケース前板部分１２が垂直になり、ケース前板部分１２の第１通気穴１７からケース背板部分１４の第２通気穴１８に向かって外気が通過するように取り付けられる。センサモジュール１に内蔵されているセンサ基板４は水平になっており、第１通気穴形成領域１７Ａおよび第２通気穴形成領域１８Ａはセンサ基板４の下方に位置している。
【００３９】
ここで、一点鎖線で示すように、センサモジュール１だけを除湿乾燥機１００に取付けたときのセンサモジュール１に内蔵されているサーミスタ２および湿度センサ３の位置と、モジュールカバー５を介してセンサモジュール１を除湿乾燥機１００に取り付けたときのセンサモジュール１に内蔵されているサーミスタ２および湿度センサ３の位置は、略同一になっている。
【００４０】
（本形態による効果）
本例によれば、センサモジュール１は除湿乾燥機１００に形成されている機器側取付部１０７に取付可能なモジュール側取付部１３を備えており、このモジュール側取付部１３を機器側取付部１０７に取り付けるとセンサモジュール１はセンサ搭載面４ａが水平で上向きとなる状態で除湿乾燥機１００に取り付けられる。また、モジュール側取付部１３に取付可能な第１カバー側取付部５５と機器側取付部１０７に取付可能な第２カバー側取付部５６とを備えているモジュールカバー５を有しており、第１カバー側取付部５５をモジュール側取付部１３に取り付けることによってセンサモジュール１にモジュールカバー５を取り付け、この状態で第２カバー側取付部５６を機器側取付部１０７に取り付けるとセンサモジュール１はセンサ搭載面４ａが水平で下向きとなる状態で除湿乾燥機１００に取り付けられる。すなわち、センサモジュール１だけを除湿乾燥機１００に取り付けるとセンサ搭載面４ａは水平で上向きとなる状態になり、モジュールカバー５を介してセンサモジュール１を除湿乾燥機１００に取り付けるとセンサ搭載面４ａは水平で下向きとなる状態になる。従って、センサモジュール１に形成されているモジュール側取付部１３や除湿乾燥機１００に形成されている機器側取付部１０７に変更を加えることなく、センサ搭載面４ａの向きを所望の向きにして取り付けることができる。
【００４１】
また、モジュール側取付部１３によってセンサモジュール１だけを除湿乾燥機１００に取り付けるとセンサ搭載面４ａが水平で上向きとなる状態になるので、センサモジュール１に内蔵されているセンサ基板４、サーミスタ２および湿度センサ３の状態を検査することが容易になる。一方、第２カバー側取付部５６によってモジュールカバー５を介してセンサモジュール１を機器に取り付けるとセンサ搭載面４ａが水平で下向きとなる状態になるので、塵や水滴がセンサ搭載面４ａ上に付着してもそれらは落下する。塵や水滴がセンサ搭載面４ａに付着したままの状態になってしまうことがないので、センサ基板４の腐食やサーミスタ２および湿度センサ３の誤動作を抑制或いは防止できる。
【００４２】
また、モジュールカバー５は、センサモジュール１に取り付けた状態において、センサモジュール１のケース前板部分１２を所定の間隔を開けて覆っており、モジュールカバー５の第３通気穴形成領域５４Ａは、センサモジュール１の第１通気穴形成領域１７Ａに対峙する部分から外れた部位に位置している。この結果、前方から流れてくる外気は第３通気穴５４を通過した後にその流路を屈曲させられ、しかる後に第１通気穴１７を介してサーミスタ２および湿度センサ３に導かれる。従って、外気によって運ばれてきた塵や水滴が直接第１通気穴１７を通過してセンサ搭載面４ａに付着してしまうことを低減或いは回避できる。
【００４３】
また、センサ搭載面４ａが水平で下向きとなる状態でセンサモジュール１が除湿乾燥機１００に取り付けられるとセンサモジュール１のケース前板部分１２が垂直となり、モジュールカバー５のカバー前板部分５１がセンサモジュール１のケース前板部分１２を覆う。さらに、モジュールカバー５のカバー上板部分５２がセンサモジュール１のケース下板部分２２を覆う。従って、外気によって運ばれてきた水滴や落下してきた水滴がセンサモジュール１の表面を伝ってケース前板部分１２に形成されている第１通気穴１７からセンサ搭載面４ａに付着することを低減または回避できる。
【００４４】
また、本例によれば、モジュール側取付部１３、第１カバー側取付部５５、第２カバー側取付部５６および機器側取付部１０７は、いずれも板状の部材とネジ穴とから形成されている。従って、モジュール側取付部１３、および第２カバー側取付部５６をそれぞれ機器側取付部１０７に取付可能にするとともに、第１カバー側取付部５５をモジュール側取付部１３に取付可能にすることができる。
【００４５】
また、本例によれば、第２カバー側取付部５６によってモジュールカバー５を介してセンサモジュール１を除湿乾燥機１００に取り付けると、位置決め板５７が機器側取付部１０７の側端面１０９ｄに当接するので、モジュールカバー５が位置決めされる。この結果、センサモジュール１は所定の姿勢で取り付けられる。
【００４６】
また、モジュールカバー５を介してセンサモジュール１を除湿乾燥機１００に取り付けると、センサモジュール１に内蔵されているセンサ基板４は水平に取り付けられ、このセンサ基板４は、ケース前板部分１２における第１通気穴形成領域１７Ａおよびケース背板部分１４における第２通気穴形成領域１８Ａよりも上方に位置する。従って、第１通気穴１７および第２通気穴１８からケース１１内に侵入した塵や水滴がセンサ基板４のセンサ搭載面４ａに付着することを低減或いは回避できる。
【００４７】
さらに、センサモジュール１だけを除湿乾燥機１００に取り付けたときのセンサモジュール１に内蔵されているサーミスタ２および湿度センサ３の位置は、モジュールカバー５を介してセンサモジュール１を除湿乾燥機１００に取り付けたときのサーミスタ２および湿度センサ３の位置と略同一になる。従って、センサモジュール１を除湿乾燥機１００に取り付けても、モジュールカバー５を介してセンサモジュール１を除湿乾燥機１００に取り付けても、温度や湿度の検出位置が変化しない。
【００４８】
（その他の実施の形態）
モジュールカバー５の位置決め板５７にはネジ穴５７ａが形成されているので、この位置決め板５７とネジ穴５７ａを第２カバー側取付部として、センサモジュール１を空気調和機などの機器に取り付けることもできる。また、モジュールカバー５のカバー前板部分５１に形成されている第３通気穴５４の一つをネジ穴とすれば、カバー前板部分５１と第３通気穴５４を第２カバー側取付部としてセンサモジュール１を空気調和機などの機器に取り付けることができる。
【図面の簡単な説明】
【００４９】
【図１】（ａ）はセンサモジュールの斜視図であり、（ｂ）はモジュールカバーの斜視図であり、（ｃ）はモジュールカバーをセンサモジュールに取り付けた状態を示す斜視図である。
【図２】（ａ）はセンサモジュールの正面図であり、（ｂ）はその平面図であり、（ｃ）はその底面図であり、（ｄ）はその右側面図であり、（ｅ）は正面図のＡ−Ａにおける縦断面図である。
【図３】（ａ）はモジュールカバーをセンサモジュールに取り付けた状態の正面図であり、（ｂ）はその平面図であり、（ｃ）はその右側面図である。
【図４】センサモジュールが取り付けられる除湿乾燥機の斜視図である。
【図５】（ａ）はセンサモジュールが除湿乾燥機に取り付けられた状態を示す斜視図であり、（ｂ）はモジュールカバーを介してセンサモジュールが除湿乾燥機に取り付けられた状態を示す斜視図である。
【符号の説明】
【００５０】
１  センサモジュール
２  サーミスタ（温度センサ）
３  湿度センサ
４  センサ基板
４ａ  センサ搭載面
５  モジュールカバー
１１  ケース
１２  ケース前板部分
１３  モジュール側取付部
１３ｂ  モジュール側取付板
１３ｃ  モジュール側ネジ穴
１４  ケース背板部分
１７  第１通気穴（通気部）
１７Ａ  第１通気穴形成領域
１８  第２通気穴
１８Ａ  第２通気穴形成領域
１９  ケース上板部分
２０  ケース左側板部分
２１  ケース右側板部分
２２  ケース下板部分
５１  カバー前板部分（前板部分）
５２  カバー上板部分（上板部分）
５３  カバー側板部分
５４  第３通気穴（カバー側通気部）
５４Ａ  第３通気穴形成領域
５５  第１カバー側取付部
５５ｃ  取付板部分（カバー側取付板）
５５ｆ  第１カバー側ネジ穴
５６  第２カバー側取付部
５６ａ  第２カバー側取付板
５６ｂ  第２カバー側ネジ穴
１００  除湿乾燥機
１０７  機器側取付部
１０９  板状部材
１０９ｃ  平板部分の縁部分（機器側垂直取付面）
１０９ｄ  縁部分の側端面（機器側垂直位置決め面）
１０９ｅ  機器側ネジ穴
【図１】
2010014321.tif 000003
【図２】
2010014321.tif 000004
【図３】
2010014321.tif 000005
【図４】
2010014321.tif 000006
【図５】
2010014321.tif 000007